(57)【特許請求の範囲】
【請求項１】
ランドおよびグルーブに情報の記録が可能な光ディスク媒体であって、
前記光ディスク媒体の円周方向に所定の角度で且つ内周から外周方向に複数に分割された領域に、前記ランドまたはグルーブのアドレス情報を記録したアドレス情報単位を備え、
前記ランドと前記グルーブとにはウォブルが形成され、
前記アドレス情報単位は、
所定の周波数を備えた波形形状を有する基本ウォブルに対して、前記基本ウォブルの略１．５倍の周波数を有するウォブルと、略１８０度異なる位相を有するウォブルと、略１．５倍の周波数及び略１８０度異なる位相を有するウォブルと、を含んだ特定のマークが複数の所定の固定位置に配置された同期領域と、
前記基本ウォブルの略１．２５倍の周波数を有するウォブルと、略０．７５倍の周波数を有するウォブルと、前記基本ウォブルに対して略―９０度異なる位相または略＋９０度異なる位相を有するウォブルとから構成されるアドレス情報ウォブルが複数の所定の配置位置に配置されたアドレス情報領域と、を含み、
前記アドレス情報ウォブルは、前記複数の所定の配置位置の内、半径方向に隣接する、他のアドレス情報ウォブルが配置された位置とは異なる位置の何れかに配置され、
前記アドレス情報ウォブルの位相の違いにより、前記光ディスク媒体における前記ランドとグルーブのアドレス情報が識別される、
光ディスク媒体。
【発明の詳細な説明】
【技術分野】
【０００１】
本開示は、光学的に記録が可能な光ディスク媒体と、その媒体の再生装置及び記録装置に関する。
【背景技術】
【０００２】
映像分野では、ＤＶＤやＢＤ（Ｂｌｕ−ｒａｙ（登録商標）  Ｄｉｓｃ）等の光ディスクがよく知られている。これらの光ディスクは、映像の記録用として用いられる一方、パーソナルコンピュータの外部記録メディアとしても用いられている。パーソナルコンピュータの外部記録メディアとして、ハードディスクやフラッシュメモリ等も用いられている。それらのメディアと比較して、光ディスク媒体は、長寿命、高信頼、保存電力不要という利点がある。これらの利点に着目し、光ディスク媒体は、データセンター等の重要なデータのアーカイブメディアとして注目されている。しかしながら、現在最も容量の大きいＢＤ−ＸＬで１枚辺り１２８ＧＢ程度の容量であり、非常に大容量のデータを保存するためには大量の光ディスクが必要であり、それらを保存するための大きなスペースも必要となる。このため、光ディスク媒体において、さらなる高密度化が要望されている（例えば特許文献１など）。
【先行技術文献】
【特許文献】
【０００３】
【特許文献１】特開２００４−２６５５４６号公報
【発明の概要】
【発明が解決しようとする課題】
【０００４】
従来の光ディスク媒体において、光ディスク媒体内の物理的な記録場所を示すアドレス情報はピットやグルーブによって記録されている。光ディスク媒体の高密度化にともない、それに適したアドレス情報の記録技術の開発が望まれ、特に、アドレス情報の検出の信頼性を保ちながら、ユーザデータの記録に対する影響を軽減するアドレス情報の記録技術が望まれる。
【０００５】
本開示は、高密度化を実現しつつ、アドレス情報の検出の信頼性を保ちながら、ユーザデータの記録に対する影響を軽減する光ディスク媒体ならびに光ディスク装置を提供する。
【課題を解決するための手段】
【０００６】
本開示の第１の光ディスク媒体は、ランドおよびグルーブに情報の記録が可能な光ディスク媒体である。第１の光ディスク媒体は、光ディスク媒体の円周方向に所定の角度で且つ内周から外周方向に複数に分割された領域に、ランドまたはグルーブのアドレス情報を記録したアドレス情報単位を備える。ランドとグルーブとにはウォブルが形成されている。アドレス情報単位は、同期領域とアドレス情報領域とを含む。
同期領域においては、所定の周波数を備えた波形形状を有する基本ウォブルに対して、基本ウォブルの略１．５倍の周波数を有するウォブルと、略１８０度異なる位相を有するウォブルと、略１．５倍の周波数及び略１８０度異なる位相を有するウォブルと、を含んだ特定のマークが複数の所定の固定位置に配置される。アドレス情報領域においては、基本ウォブルの略１．２５倍の周波数を有するウォブルと、略０．７５倍の周波数を有するウォブルと、基本ウォブルに対して略−９０度異なる位相または略＋９０度異なる位相を有するウォブルとから構成されるアドレス情報ウォブルが複数の所定の配置位置に配置される。
アドレス情報ウォブルは、複数の所定の配置位置の内、半径方向に隣接する、他のパターンが配置された位置とは異なる位置の何れかに配置される。アドレス情報ウォブルの位相の違いにより、光ディスク媒体におけるランドとグルーブのアドレス情報が識別される。
本開示の第２の光ディスク媒体は、ランドおよびグルーブに情報の記録が可能な光ディスク媒体である。第２の光ディスク媒体は、光ディスク媒体の円周方向において、ランドまたはグルーブのアドレス情報を記録したアドレス情報単位が所定数設けられる。各アドレス情報単位は、アドレス情報を記録することが可能な領域であるアドレス記録領域を３個以上有し、３個以上のアドレス記録領域の中から選択された１つの領域にアドレス情報が記録される。アドレス情報を記録するために３個以上のアドレス記録領域の中から選択される１つの領域は、半径方向に隣接する３つのアドレス情報単位間において異なる。
【０００７】
本開示の第３の光ディスク媒体は、ランドおよびグルーブに情報の記録が可能な光ディスク媒体である。第３の光ディスク媒体は、光ディスク媒体の円周方向において、ランドまたはグルーブのアドレス情報を記録したアドレス情報単位が所定数設けられる。ランドまたはグルーブにはウォブルが形成される。ウォブルは、基本ウォブルと、所定の論理値を示す情報ウォブルとを含む。アドレス情報単位において、アドレス情報は、ランドまたはグルーブのウォブルにおいて情報ウォブルを用いて記録される。情報ウォブルは、基本ウォブルの波形に対して−９０度〜＋９０度だけ異なる位相を持つ波形形状を有する。
【０００８】
本開示の第１の光ディスク装置は、第１の光ディスク媒体から情報の再生を行う光ディスク装置である。第１の光ディスク装置は、複数のアドレス記録領域のそれぞれから情報を読み取って信号を生成する信号生成手段と、各アドレス記録領域からの信号に基づいて、複数のアドレス記録領域のうち、アドレス情報が記録されている１つの領域を決定する領域決定手段と、領域決定手段が決定した領域に対してアドレスの検出を行うアドレス情報検出手段と、を有する。
【０００９】
本開示の第２の光ディスク装置は、第２の光ディスク媒体から情報の再生を行う光ディスク装置である。第２の光ディスク装置は、ランドまたはグルーブに形成されたウォブルに応じた信号を生成する信号生成手段と、信号生成手段の生成した信号から基本ウォブルに対して９０度の位相差を有する信号を生成する位相差波形生成手段と、信号生成手段の生成した信号と、位相差波形生成手段の生成した信号を用いて位相検波を行う位相検波手段と、位相検波手段の検波結果に基づいて、アドレスの検出を行うアドレス検出手段と、を備える。
【００１０】
本開示の第１の光ディスク再生方法は、第１の光ディスク媒体から情報の再生を行う方法である。第１の光ディスク媒体の再生方法は、複数のアドレス記録領域のそれぞれから情報を読み取って信号を生成するステップと、各アドレス記録領域からの信号に基づいて、複数のアドレス記録領域のうち、アドレス情報が記録されている１つの領域を決定するステップと、決定した領域に対してアドレスの検出を行うステップと、を有する。
【００１１】
本開示の第２の光ディスク再生方法は、第２の光ディスク媒体から情報の再生を行う方法である。第２の光ディスク再生方法は、ランドまたはグルーブに形成されたウォブルに応じたウォブル信号を生成するステップと、ウォブル信号から基本ウォブルに対して９０度の位相差を有する信号を生成するステップと、ウォブル信号と、９０度の位相差を有する信号とを用いて位相検波を行うステップと、位相検波の結果に基づいてアドレスの検出を行うステップと、を備える。
【発明の効果】
【００１２】
本開示によれば、ランドまたはグルーブのトラック幅の変動を低減できる。これにより、高密度化を実現しつつ、アドレス情報の検出の信頼性を保ちながら、ユーザデータの記録に対する影響を軽減できる光ディスク媒体および光ディスク装置を提供できる。
【図面の簡単な説明】
【００１３】
【図１】実施の形態における光ディスク媒体の模式図
【図２】実施の形態における光ディスク媒体の記録面の斜視図
【図３】実施の形態における光ディスク媒体のアドレス情報単位（ＡＤＩＰ）の構成を説明するための図
【図４】実施の形態におけるアドレス情報を有するウォブル形状を説明するための図
【図５】ランドにおける両隣のグルーブの位相に対するランドトラック幅の変動を説明するための図
【図６】実施の形態におけるＡＤＩＰの並びを説明するための図
【図７】実施の形態における光ディスク装置のブロック図
【図８】実施の形態におけるウォブル処理部の構成および動作を説明するための図
【図９】実施の形態における光ディスク装置のアドレス再生の動作を説明するためのフローチャート図
【発明を実施するための形態】
【００１４】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１５】
なお、発明者らは当業者が本開示を十分に理解するために添付図面および以下の説明を提供するものであって、これらによって、特許請求の範囲に記載の主題を限定することを意図するものではない。
【００１６】
（本開示が解決しようとする具体的な課題）
光ディスクには、光スポットを記録トラックに高精度に制御するために「グルーブ」と呼ばれる案内溝が設けられ、グルーブ（案内溝）においてユーザデータが記録されている。また、光ディスクを高密度化する技術として、ランドグルーブ記録がある。ランドグルーブ記録は、グルーブだけでなく、グルーブとグルーブの間の「ランド」と呼ばれる領域においてもユーザデータを記録するという技術である。
【００１７】
光ディスクにおいて、ユーザデータを記録、再生する場所を特定するために、その場所に関連づけて物理アドレス（以下単に「アドレス」という）が記録されている。光ディスクにおいてアドレス情報を形成する方法の一つに、プリピットを用いる方法がある。しかし、プリピットが形成される部分にはユーザデータが記録できないため、アドレス情報を配置する分だけ、記録容量が減少するという問題がある。
【００１８】
また、アドレス情報を形成する別の方法として、トラックの蛇行（以下「ウォブル」という）を用いる方法がある。ウォブルにより記録されるアドレスを「ウォブルアドレス」という。ウォブルを用いる方法は、ウォブルアドレスをユーザデータの再生方法とは別の方法で検出することができるため、記録容量が減少しないというメリットがある。
【００１９】
以上のように、グルーブにおいては、プリピットやウォブルによりアドレス情報が記録されていた。しかし、ランドのアドレス記録については、ランドがディスク製造時に直接形状を制御することができないことから、ランドにおけるアドレス情報の記録は難しく、隣接するグルーブの形状で、ランドのアドレス情報を記録する必要がある。
【００２０】
グルーブのウォブルを用いてランドのアドレス情報を記録する方法として、次のような技術が考えられる。例えば、光ディスクにおいて、ランドにアドレス情報を配置するために、セグメント単位に第１のアドレス領域情報と第２のアドレス情報領域を設ける。そして、第１のアドレス情報領域と第２のアドレス情報領域のうちのどちらか一方の領域に１ビットのアドレスを記録する。具体的には、ランドの両側に隣接するグルーブのウォブルを同位相で記録するか逆位相で記録するかによって“０”または“１”を記録する。
【００２１】
そして、隣接するランドトラック毎に、アドレスが記録された領域として、第１のアドレス情報領域と第２のアドレス情報領域を交互に切り替えながら使用する。その際、セグメント毎に、第１のアドレス情報と第２のアドレス情報のうちいずれが有効であるか（いずれを使用するか）を示す選択信号を記録する。これにより、グルーブトラックのウォブルによって、ランドのアドレス情報の記録が可能となる。
【００２２】
上記の光ディスクでは、ランドのアドレスが配置されているランドの領域に隣接するグルーブの領域には、グルーブのアドレスは配置されていない。しかしながら、ランドのアドレスが配置されていないランドの領域に内周側で隣接するグルーブの領域および外周側で隣接するグルーブの領域においては、グルーブのアドレスが配置されることになる。
【００２３】
隣り合うグルーブ（すなわち、外周側のグルーブと内周側のグルーブ）の形状が同一であれば問題ないが、それらの形状が異なる場合は問題となる。すなわち、それらの形状が異なる場合、外周側のグルーブと内周側のグルーブの位相が反転していることになる。その場合、ランドのトラック幅（すなわち、グルーブ間の距離）の変動量は大きくなり、ユーザデータの記録再生に悪影響を与える。
【００２４】
さらに、セグメント毎に設けられた、第１のアドレス情報と第２のアドレス情報のうちいずれが有効であるかを示す選択信号の検出に失敗すると、誤ったアドレス情報を検出してしまうという、アドレス検出における信頼性の課題がある。
【００２５】
このような課題を解決する光ディスク媒体および光ディスク装置の実施の形態を以下に説明する。
【００２６】
（実施の形態１）
以下、図面を参照しながら実施の形態における光ディスク媒体および光ディスク装置について説明する。
【００２７】
１．光ディスク媒体
図１は、本実施の形態における光ディスク媒体のトラックの構成を説明した図である。図１に示すように、光ディスク１０１は、グルーブトラック（以下、単に「グルーブ」ともいう）１０２がスパイラル状に形成されている。スパイラル状に形成されたグルーブ１０２に挟まれた領域にランドトラック（以下、単に「ランド」ともいう）１０３がスパイラル状に形成されている。本実施形態の光ディスク１０１は、グルーブ１０２およびランド１０３の双方にユーザデータ（情報）が記録可能である。すなわち、グルーブ１０２およびランド１０３が記録トラックとして使用され得る。
【００２８】
グルーブ１０２およびランド１０３は周方向において所定の角度に基づいて（すなわち、中心角の所定範囲毎に）複数の単位に分割される。この分割されたグルーブ１０２およびランド１０３の単位が、物理アドレスを記録する単位であるアドレス情報単位（以下「ＡＤＩＰ（ＡＤｒｅｓｓ  Ｉｎ  Ｐｒｅ−Ｇｒｏｏｖｅ）」という）１０４を形成する。ＡＤＩＰ１０４は、光ディスク１０１の単位領域について１つのアドレス情報を有する。ＡＤＩＰ１０４は、先頭部分に同期領域１０５を有し、同期領域１０５に続いてアドレス情報領域１０６を有する。この構成は、光ディスク１０１の内周から外周まで半径方向に同じ角度範囲で繰り返される。ＡＤＩＰ１０４はさらに複数のＡＤＩＰユニット３０３（詳細は後述）で構成される。
【００２９】
図２は、光ディスク１０１の記録面の一部を拡大した図である。グルーブ１０２はディスク製造時において、スタンパ上に溝として形成されている部分が記録面に転写されることによって形成される。グルーブ１０２は、光源に近い側に位置する。また、スタンパ上に溝を形成する場合に、ディスク製造装置においては一定のビーム強度で形成するため溝幅もほぼ一定となるように作製される。その転写で形成される光ディスク１０１におけるグルーブ１０２も光ディスク１０１全面においてトラック幅がほぼ一定である。
【００３０】
グルーブ１０２間にランド１０３が存在する。グルーブ１０２およびランド１０３は図２に示すように大部分において一定周期で蛇行している。この蛇行がウォブルである。ウォブルは、光スポット２０１がグルーブ１０２またはランド１０３を追従する場合において、追従する際の反応速度より短い周期で形成されている。このため、光スポット２０１とグルーブ１０２またはランド１０３の位置関係に変位が生じ、その変位を光学的に検出し電気信号に変換することによってウォブルの形状を検出することができる。
【００３１】
ウォブルの検出においては、その検出信号に同期したクロックを生成する。このクロックは、光ディスク１０１における物理長さや線速度の検出に用いられる。または、このクロックは、ウォブル形状を変化させることによって記録された副情報の再生に用いることができる。本実施の形態における光ディスク媒体では、ウォブルによってアドレス情報を記録している。
【００３２】
グルーブ１０２は、前述したようにディスク製造の都合上、そのトラック幅が常に一定に制御される。しかし、グルーブ１０２に挟まれたランド１０３は、隣接する内周側グルーブと外周側グルーブのウォブルの位相に応じてトラック幅が変動する場合がある。
【００３３】
１−１  ＡＤＩＰの構成
図３を用いてＡＤＩＰ１０４の詳細を説明する。図３はＡＤＩＰの構成を説明した図である。図３に示すように、ＡＤＩＰ１０４は、所定数（例えば８３個）のＡＤＩＰユニット３０３で構成される。なお、図３では、説明の便宜上、本来図１に示すように連続したＡＤＩＰ１０４の領域に配置されるＡＤＩＰユニット３０３を、ＡＤＩＰユニット３０３毎に分割し、並列して記載している。ＡＤＩＰ１０４の大部分は、基本ウォブル３０２で構成されている。基本ウォブル３０２の形状は＋ｃｏｓ（ωｔ）の１周期の波形に相当する。基本ウォブル３０２は、その１周期内において、最大内周変位、最大外周変位、最大内周変位と推移するような波形形状を有する。
【００３４】
ＡＤＩＰ１０４において、基本ウォブル３０２以外の部分は、基本ウォブル３０２の１周期と同じ周期をもつウォブルで構成されている。以下、この基本ウォブル３０２の１周期を「ウォブル周期」と呼ぶ。そして、５６ウォブル周期によってＡＤＩＰユニット３０３を構成している。
【００３５】
ＡＤＩＰユニット３０３の先頭３ウォブル周期において、ＡＤＩＰユニットの区切りを示すＭＳＫ（Ｍｉｎｉｍｕｍ  Ｓｈｉｆｔ  Ｋｅｙｉｎｇ）マーク３０１が配置されている。ＭＳＫマーク３０１は、形状が＋ｃｏｓ（１．５ωｔ）、−ｃｏｓ（ωｔ）、−ｃｏｓ（１．５ωｔ）の波形となるウォブルを、それぞれ１ウォブル周期ずつ接続することで構成されている。ＭＳＫマーク３０１の２番目に配置される−ｃｏｓ（ωｔ）の波形で表されるウォブルは、基本ウォブル３０２に対して位相が反転した形状を有する。このため基本ウォブル３０２に同期した信号から位相検波することで、ＭＳＫマーク３０１の位置を検出することが可能である。
【００３６】
ＡＤＩＰユニット３０３には、ＡＤＩＰ１０４の同期領域１０５に含まれるものと、ＡＤＩＰ１０４のアドレス情報領域１０６に含まれるものとがある。ＡＤＩＰユニット３０３は、ＭＳＫマーク３０１に続く残り５３ウォブル周期においては、それぞれ与えられた機能ごとに特定のパターンを有している。
【００３７】
最初に、ＡＤＩＰ１０４の同期領域１０５に含まれるＡＤＩＰユニット３０３について説明する。同期領域１０５においては、モノトーンＡＤＩＰユニット３０４、第１の同期ＡＤＩＰユニット３０５、第２の同期ＡＤＩＰユニット３０６、第３の同期ＡＤＩＰユニット３０７、および第４の同期ＡＤＩＰユニット３０８が配置される。
【００３８】
モノトーンＡＤＩＰユニット３０４は、先頭のＭＳＫマーク３０１を除き、他は基本ウォブル３０２によってのみ構成されている。これはウォブルに同期したクロックを安定に生成するためである。
【００３９】
第１の同期ＡＤＩＰユニット３０５、第２の同期ＡＤＩＰユニット３０６、第３の同期ＡＤＩＰユニット３０７、および第４の同期ＡＤＩＰユニット３０８は、ＡＤＩＰ１０４における位置を特定するためのものである。そしてこれらは、ＡＤＩＰ１０４の先頭近くに配置される。ＡＤＩＰ１０４内に同一パターンのＡＤＩＰユニットは他に存在しない。
【００４０】
次に、ＡＤＩＰ１０４のアドレス情報領域１０６に含まれるＡＤＩＰユニット３０３について説明する。アドレス情報領域１０６においては、モノトーンＡＤＩＰユニット３０４と、アドレス情報ＡＤＩＰユニット３０９とが配置される。
【００４１】
アドレス情報領域１０６は、１つのモノトーンＡＤＩＰユニット３０４と４つのアドレス情報ＡＤＩＰユニット３０９を１単位とし、その１５単位から構成されている。
【００４２】
アドレス情報ＡＤＩＰユニット３０９は１ビットの情報を有する。アドレス情報領域１０６全体として７５個のＡＤＩＰユニット（すなわち、６０個のアドレス情報ＡＤＩＰユニット３０９）により６０ビットの情報を有する。アドレス情報ＡＤＩＰユニット３０９は、アドレス情報ウォブル３１０において１ビットを記録する。
【００４３】
この６０ビットの情報には、光ディスク内における物理位置情報であるアドレス情報だけでなく、多層ディスクにおけるレイヤー情報、光ディスクに記録するための条件に関する情報、著作権情報、等の副情報、および、それらの情報に対するエラー訂正／エラー検出符号を含めてもよい。
【００４４】
アドレス情報ＡＤＩＰユニット３０９は、ＭＳＫマーク３０１、基本ウォブル３０２、およびアドレス情報ウォブル３１０を含む。アドレス情報ＡＤＩＰユニット３０９は、先頭の３ウォブル周期にＭＳＫマーク３０１を有する。それに後続する２７ウォブル周期に基本ウォブル３０２を有する。そしてさらに後続する２６ウォブル周期にアドレス情報ウォブル３１０を有する。アドレス情報ウォブル３１０は、アドレス情報に基づいて形成されたもので詳細は後述する。
【００４５】
アドレス情報ウォブル３１０以外の部分のウォブルは、光ディスク１０１の全てのＡＤＩＰ１０４において同様に配置される。さらに、ＡＤＩＰ１０４は図１にも示したとおり内周から外周のいずれの周にも配置されている。これら２点から、アドレス情報ウォブル３１０以外のウォブル形状は半径方向において同一ということになる。
【００４６】
さらには、同一形状のグルーブに挟まれたランドも同一形状となる。このため、ＡＤＩＰユニット先頭のＭＳＫマーク３０１、第１の同期ＡＤＩＰユニット３０５、第２の同期ＡＤＩＰユニット３０６、第３の同期ＡＤＩＰユニット３０７、および第４の同期ＡＤＩＰユニット３０８は、ランドにおいてもグルーブと同一の形状を有する。つまりグルーブと同様にランドも検出可能であるということになる。
【００４７】
１−１−１  アドレス情報ウォブル
図４を用いてアドレス情報ウォブル３１０の詳細を説明する。図４（ａ）は基本パターンを示した図である。図４（ｂ）はアドレス情報“０”のパターンを示した図である。図４（ｃ）はアドレス情報“１”のパターンを示した図である。
【００４８】
基本パターン４０１は、３周期分の基本ウォブルの波形（＋ｃｏｓ（ωｔ））で構成される。アドレス情報“０”のパターン４０２は、１周期分の＋ｃｏｓ（１．２５ωｔ）の波形と、１周期分の−ｓｉｎ（ωｔ）の波形と、１周期分の−ｃｏｓ（０．７５ωｔ）の波形とで構成される。アドレス情報“１”のパターン４０３は、１周期分の＋ｃｏｓ（０．７５ωｔ）の波形と、１周期分の＋ｓｉｎ（ωｔ）の波形と、１周期分の−ｃｏｓ（１．２５ωｔ）の波形とで構成される。アドレス情報パターン４０２、４０３において特に値を特定する波形は第２番目のウォブル（以下「情報ウォブル」ともいう）４０２ａ、４０３ａである。すなわち、アドレス情報パターン４０２、４０３における第２番目のウォブル（情報ウォブル）４０２ａ、４０３ａの波形形状により“０”、“１”の論理値を識別できるようになっている。第１、第３番目の波形は、他の波形との連続した接続を考慮して設けられたものである。
【００４９】
図４（ｄ）は、半径方向に並んだ６つのランドトラック分のアドレス情報ウォブル３１０の例を示した図である。同図に示すアドレス情報ウォブル３１０は、１つのＡＤＩＰ１０４のうちの任意の１つのＡＤＩＰユニット３０３に着目したものであり、これらが半径方向（ディスクの内周から外周への方向）に並んでいる様子を示している。同図から、隣接トラックとの関係を確認することができる。同図において、符号「Ｇ」はグルーブを示し、符号「Ｌ」はランドを示している。
【００５０】
アドレス情報ウォブル３１０は前述のようにアドレス情報に基づいて形成されるので、光ディスクの半径方向において隣接するＡＤＩＰ間でアドレス情報が異なる。
【００５１】
アドレス情報ウォブル３１０は、ランドに与えるべきアドレス情報に基づいて構成されている。
【００５２】
図４（ｄ）に示すように、ＡＤＩＰ１０４は、アドレス情報ウォブル３１０の領域において、アドレス情報に基づくウォブルパターンを配置するための領域（以下「アドレス記録領域」ともいう）として、複数の領域を有している。具体的には、アドレス記録領域として、領域Ａ（４０４）、領域Ｂ（４０５）、領域Ｃ（４０６）、領域Ｄ（４０７）の４つの領域が設けられている。
【００５３】
そして、各ＡＤＩＰ１０４において、そのＡＤＩＰに関するアドレス情報を実際に配置する領域として、領域Ａから領域Ｄのうちの１つの領域があらかじめ設定（選択）されている。アドレス情報を実際に配置する領域として設定（選択）された１つのアドレス記録領域を以下「有効アドレス記録領域」という。すなわち、１つのＡＤＩＰ１０４内において、設定（選択）されたアドレス記録領域と異なるアドレス記録領域に、そのＡＤＩＰに対するアドレス情報が配置されることはない。つまり、１つのＡＤＩＰ１０４については、同一種類（Ａ〜Ｄ）のアドレス記録領域が有効アドレス記録領域として使用される。例えば、あるＡＤＩＰに対して、有効アドレス記録領域が領域Ａに設定（選択）された場合、そのＡＤＩＰに対するアドレス情報が領域Ｂ〜Ｄに配置されることはない。
【００５４】
以下、例を挙げて本実施の形態におけるアドレス情報ウォブル３１０がアドレス情報を有する状態について説明する。
【００５５】
図４（ｄ）に示す例において、ランドトラックに着目すると、内周から順にランドＬ１〜Ｌ６が配置されている。ランドＬ１は、有効アドレス記録領域が領域Ａであり、領域Ａ（４０４）にアドレス情報“０”を有する。ランドＬ２は、有効アドレス記録領域が領域Ｂであり、領域Ｂ（４０５）にアドレス情報“１”を有する。ランドＬ３、有効アドレス記録領域が領域Ｃであり、領域Ｃ（４０６）にアドレス情報“１”を有する。ランドＬ４は、有効アドレス記録領域が領域Ｄであり、領域Ｄ（４０７）にアドレス情報“０”を有する。ランドＬ５は、有効アドレス記録領域が領域Ａであり、領域Ａ（４０４）にアドレス情報“１”を有する。ランドＬ６は、有効アドレス記録領域が領域Ｂであり、領域Ｂ（４０５）にアドレス情報“０”を有する。このように、半径方向において隣接するランド間では、有効アドレス記録領域の種類が同一とならないように、有効アドレス記録領域が選択される。
【００５６】
ランドＬ１に対して、アドレス情報“０”のパターン４０２が領域Ａ（４０４）に配置されている。これを実現するために、アドレス情報“０”を配置するランドの両隣のグルーブＧ１、Ｇ２に、＋ｃｏｓ（１．２５ωｔ）、−ｓｉｎ（ωｔ）、−ｃｏｓ（０．７５ωｔ）の波形からなるウォブルを、それぞれ１ウォブル周期ずつ配置する。
【００５７】
また、ランドＬ５には、アドレス情報“１”のパターン４０３が領域Ａ（４０４）に配置されている。この場合、アドレス情報“１”を配置するランドＬ５の両隣のグルーブＧ５、Ｇ６に、形状が、＋ｃｏｓ（０．７５ωｔ）、＋ｓｉｎ（ωｔ）、＋ｃｏｓ（１．２５ωｔ）の波形からなるウォブルを、それぞれ１ウォブル周期ずつ配置する。
【００５８】
アドレス情報ウォブル３１０において、アドレス情報が配置されていない部分には、基本ウォブル３０２が配置される。
【００５９】
アドレス情報“０”のパターン４０２およびアドレス情報“１”のパターン４０３の形状と、基本ウォブル３０２の形状との比較には、アドレス情報パターン４０２、４０３における特徴的な形状を有する２番目のウォブル（すなわち、情報ウォブル）４０２ａ、４０３ａの波形形状を用いる。基本ウォブル３０２の形状＋ｃｏｓ（ωｔ）に対して、アドレス情報“０”の情報ウォブル４０２ａは−９０度の位相差、アドレス情報“１”の情報ウォブル４０３ａは＋９０度の位相差をそれぞれ有している。
【００６０】
一方、アドレス情報“０”のパターン４０２とアドレス情報“１”のパターン４０３における１番目および３番目のウォブル周期の波形はそれぞれ、２番目のウォブル周期の、１．２５倍および０．７５倍周期のｃｏｓ関数の波形となっている。これは、２番目のウォブル周期に緩やかな位相偏移で接続するためである。さらに、アドレス情報“０”のパターン４０２およびアドレス情報“１”のパターン４０３における、１番目および３番目のウォブル周期の波形は、基本ウォブル３０２の波形との位相差が９０度以下になるように設定されている。
【００６１】
図４（ｄ）に戻り、一つのランドＬｎのＡＤＩＰ１０４に着目する。ランドＬｎの外周側に隣接したランドＬｎ＋１のＡＤＩＰ１０４に対しては、ランドＬｎ＋１のアドレス情報を配置する有効アドレス記録領域として、ランドＬｎに対して設定された領域の次の順番の領域が設定される。ここで、領域の順番は、領域Ａ→領域Ｂ→領域Ｃ→領域Ｄ→領域Ａ→・・・の順とする。よって、ランドＬｎのＡＤＩＰ１０４に対して有効アドレス記録領域として、領域Ａが設定されている場合、ランドＬｎ＋１のＡＤＩＰ１０４に対しては有効アドレス記録領域として領域Ｂが設定される。図４（ｄ）に示す例においても、ランドＬ１〜Ｌ６に対して、領域Ａ→領域Ｂ→領域Ｃ→領域Ｄ→領域Ａ→・・・の順に有効アドレス記録領域が設定されている。
【００６２】
換言すると、ランドＬ１の内周側に隣接したランドＬｎ−１のＡＤＩＰ１０４には、有効アドレス記録領域として、ランドＬ１に設定された領域の１つ前の領域が設定される。例えば、ランドＬｎのＡＤＩＰ１０４に領域Ａが設定されている場合、ランドＬｎ−１のＡＤＩＰ１０４に対しては、領域Ｄが設定される。
【００６３】
このようにアドレス情報を有するウォブルを配置可能な領域（アドレス記録領域）を４領域（領域Ａ〜Ｄ）設ける。そして、それらの領域の中で実際にアドレス情報を配置する領域である有効アドレス記録領域をランドトラック毎に１つずつシフトしている。このため、半径方向に隣接する４ランドトラックにおいて、有効アドレス記録領域が互いに異なることになる。
【００６４】
このように有効アドレス記録領域（アドレス情報）を配置することで、いずれのランドの領域においても、両隣がアドレス情報を有するウォブル（アドレス情報“０”のパターン４０２、アドレス情報“１”のパターン４０３）が形成される部分が、実際にアドレス情報を有する部分以外には存在しないようにすることができる。
【００６５】
換言すれば、アドレス情報を実際に配置する領域（有効アドレス領域）として選択する領域を半径方向に隣接するランド間で円周方向に順にシフトさせている。これにより、１つのランドに対するアドレス情報を与えるウォブルの波形が、そのランドに半径方向に隣接する他のランドのアドレス情報を与えるウォブルに影響しなくなる。このため、アドレス情報を配置するランドの内周側に隣接するグルーブのウォブルの形状と、外周側に隣接するグルーブのウォブルの形状とを同位相にすることができ、グルーブの変動を抑制できる。
【００６６】
なお、本実施の形態の光ディスク媒体においては、アドレス情報を記録可能な領域（領域Ａ〜Ｄ）を４箇所設け、それらのうち有効アドレス記録領域として選択する領域をトラック毎に１つずつシフトする構成とした。しかし、アドレス情報を記録可能な領域の数は４に限定されず、３以上であればよい。アドレス情報を記録可能な領域の数が３以上であれば、１つのランドに対するアドレス情報を与えるウォブルの波形が、そのランドに半径方向に隣接する他のランドのアドレス情報を与えるウォブルに影響しなくなり、上記の効果を実現することができる。
【００６７】
以上のように、本実施形態の光ディスク１０１は、ランドおよびグルーブに情報の記録が可能な光ディスク媒体である。光ディスク１０１は、光ディスク１０１の円周方向において、ランドまたはグルーブのアドレス情報を記録したアドレス情報単位であるＡＤＩＰ１０４が所定数設けられる。各ＡＤＩＰ１０４は、アドレス情報を記録することが可能な領域であるアドレス記録領域（例えば、領域Ａ（４０４）、領域Ｂ（４０５）、領域Ｃ（４０６）、領域Ｄ（４０７））を３個以上有し、３個以上のアドレス記録領域の中から選択された１つの領域（有効アドレス記録領域）にアドレス情報が記録される。アドレス情報を記録するために３個以上のアドレス記録領域の中から選択される１つの領域（有効アドレス記録領域）は、半径方向に隣接する３つのアドレス情報単位間において異なる。
【００６８】
以上の構成により、一のトラックに対してアドレス情報を記録するために形成されるウォブルが、半径方向に隣接する他のトラックのアドレス情報に影響を与えることがない。このため、隣接するトラックのアドレス情報を考慮せずに、一のトラックに対するアドレス情報のみに応じてウォブルの波形形状を決定できることから、トラック幅の変動を抑制できる。これにより、高密度化を実現しつつ、アドレス情報の検出の信頼性を保ちながら、ユーザデータの記録に対する影響を軽減できる。
【００６９】
また、本実施の形態の光ディスク１０１は、ランドおよびグルーブに情報の記録が可能な光ディスク媒体である。光ディスク１０１は、光ディスク媒体の円周方向において、ランドまたはグルーブのアドレス情報を記録したアドレス情報単位であるＡＤＩＰ１０４が複数設けられる。ランドまたはグルーブにはウォブルが形成される。ウォブルは、基本ウォブル３０２と、所定の論理値を示す情報ウォブル４０２ａ、４０３ａとを含む。ＡＤＩＰ１０４において、アドレス情報は、ランドまたはグルーブのウォブルにおいて情報ウォブル４０２ａ、４０３ａを用いて記録される。情報ウォブル４０２ａ、４０３ａは、基本ウォブル３０２の波形に対して−９０度〜＋９０度だけ異なる位相を持つ波形形状を有する。
【００７０】
情報ウォブルと基本ウォブルの波形の位相を−９０度〜＋９０度の範囲で異ならせることにより、ランドまたはグルーブのウォブルが形成される両側での波形の位相差を最大でも９０度の範囲に抑制できる。このため、トラック幅の変動を抑制でき、よって、高密度化を実現しつつ、アドレス情報の検出の信頼性を保ちながら、ユーザデータの記録に対する影響を軽減できる。
【００７１】
１−２  ランドトラック幅の変動
ランドの両隣のグルーブの位相に対するランドトラック幅の変動について図５を用いて説明する。図５はグルーブに挟まれたトラックのウォブル形状を３ウォブル周期分だけ抜粋して示した図である。図５（ａ）は、ウォブルの位相が同位相である２つのグルーブＧ１、Ｇ２およびそれらの間にあるランドＬを示す図である。図５（ｂ）は、ウォブルの位相が逆位相（位相差が１８０度）となる２つのグルーブＧ１、Ｇ２およびそれらの間にあるランドＬを示す図である。図５（ｃ）は、ウォブルの位相差が９０度となる２つのグルーブＧ１、Ｇ２およびそれらの間にあるランドＬを示した図である。
【００７２】
図５（ａ）では、両隣のグルーブＧ１、Ｇ２の位相が同位相であるため内周側グルーブＧ１と外周側グルーブＧ２が同一に変位するため、下記式で示すように、ランドＬのトラックの幅の変動Δｗはなく、トラックの幅は一定である。
【数１】
0006015986.tif 000002
【００７３】
図５（ｂ）では、内周側グルーブＧ１が最大内周変位の位置では外周側グルーブＧ２は最大外周変位となるため、ランドＬのトラック幅は最大となる。逆に、内周側グルーブＧ１が最大外周変位の位置では場合は外周側グルーブＧ２が最大外周変位となるため、ランドＬのトラック幅は最小となる。このように、下記式に示すように、円周方向の位置によってトラック幅の変動差Δｗが変化する。
【数２】
0006015986.tif 000003
【００７４】
図５（ｃ）は、位相差が９０度であるため、位相差が１８０度の場合に比べ、トラック幅の変動差を小さく抑えることができる。具体的には下記の数式で示しているように、ランドトラック幅の変動幅Δｗは位相差が１８０度の場合（図５（ｂ））と比較して約０．７倍となる。
【数３】
0006015986.tif 000004
【００７５】
このように、本実施の形態の光ディスクは、ランドの両隣のグルーブの位相差が９０度以下とすることで、隣接するウォブルの位相差が９０度となっている光ディスクに対してランドのトラック幅の最大変動を約７０％に低減できる。
【００７６】
１−３  ＡＤＩＰにおけるアドレス情報領域の割り当て
図６は、本実施の形態の光ディスクにおける各ＡＤＩＰに対する、選択領域Ａ〜Ｄの割り当てを説明した図である。同図に示すように、アドレス情報を配置する領域として領域Ａが選択されるＡＤＩＰ６０１と、領域Ｂが選択されるＡＤＩＰ６０２、領域Ｃが選択されるＡＤＩＰ６０３、領域Ｄが選択されるＡＤＩＰ６０４とが円周方向に順に配置されている。
【００７７】
本実施の形態の光ディスクは、ＡＤＩＰ１０４の配置順にしたがい、アドレス情報を配置する領域として選択する領域Ａ〜Ｄを順にシフトさせている。このように配置することによって、先行するＡＤＩＰ１０４に対して、アドレス情報を配置する領域として選択されている領域に基づき、後続するＡＤＩＰ１０４に対して、選択されている領域を容易に類推できる。
【００７８】
また、１トラック（１周）を等角度で分割し（例えば、９分割し）、１つのＡＤＩＰ１０４として、１周のＡＤＩＰ数（例えば、９）が選択可能な領域数（例えば、４）の倍数＋１とする。これにより、１周毎に同じ角度範囲に配置されているＡＤＩＰに対して、アドレス情報を配置する領域として選択される領域が１つずつ変化するようにしている。
【００７９】
つまりトラック毎に領域数が１つずつ移動する構成としている。この構成は、１周のＡＤＩＰ数を、選択可能な領域数（本例では、４）の倍数±１とすることで実現できる。例えば、アドレス情報を配置する領域として選択可能な領域の数を３とした場合には、１周のＡＤＩＰ数を１０とすることで、選択可能な領域数が４の場合と同様の効果が実現できる。
【００８０】
さらに言えば、任意の連続する３トラックのランドで異なる領域が選択されている構成にするためには、１周のＡＤＩＰ数と、選択可能な領域の数とを互いに素となるように設定することでも実現できる。
【００８１】
このように、本実施の形態の光ディスク１０１は、らせん状に配置された複数のアドレス情報単位であるＡＤＩＰ１０４において、１周（１トラック）に含まれるＡＤＩＰ１０４の数（例えば９）と、１つのＡＤＩＰ１０４に対して設定されるアドレス情報が配置されるための領域（領域Ａ〜Ｄ）の数（例えば４）とが互いに素である。
【００８２】
なお、本実施の形態の光ディスクは、アドレス情報を有するウォブルを基本ウォブル３０２に対して位相差を９０度としたが、９０度以下であってもよい。９０度以下であれば、位相差が小さければ小さいほどランドトラック幅の変動は小さくなり、より大きな効果が期待できる。しかしながら、その場合アドレス情報の検出性能が劣化するため、アドレス情報の信頼性に求められる程度の大きさの位相差は必要である。
【００８３】
また、本実施の形態の光ディスク媒体は、ＡＤＩＰ１０４放射状に内周から外周までらせん状に全て同じ中心角を持つよう配置する構成とした。しかし、所定の半径範囲で所定のゾーンを設定し、各ゾーン内で本実施の形態の光ディスク媒体と同じ構成を適用してもよい。これによっても、同様の効果を実現することができる。
【００８４】
２．光ディスク装置
以下、本実施の形態における光ディスク１０１に対して情報の記録、再生を行う光ディスク装置について説明する。図７は本実施の形態における光ディスク装置のブロック図である。
【００８５】
光ディスク装置は、光ヘッド７０１と、サーボ制御部７０２と、信号生成部７０３と、ウォブル処理部７０４と、アドレスタイミング生成部７０５と、再生処理部７０６と、デコーダ７０７と、コントローラ７１１とを備える。さらに、光ディスク装置は、エンコーダ７０８と、記録処理部７０９と、レーザ駆動部７１０とを備える。
【００８６】
光ディスク装置に光ディスク１０１が挿入される。光ヘッド７０１から光ディスク１０１に光ビームが照射される。そして、光ディスク１０１で反射された光ビームが、フォトディテクター（図示せず）によって、反射光量の情報を示す電圧レベルを有する電気信号に変換される。当該フォトディテクターは、光ヘッド７０１に含まれている。フォトディテクターは、トラックグルーブ方向（タンジェンシャル方向）および半径方向（ラジアル方向）に４分割して配置された４つの分割フォトディテクターで構成される。
【００８７】
各分割フォトディテクターから出力された電気信号に基づき、信号生成部７０３によって、フォーカスエラー信号、トラッキングエラー信号、ウォブル信号、全加算信号がそれぞれ生成される。
【００８８】
全加算信号は、４つの分割フォトディテクターからの信号を全て加算した信号であり、光ディスクの反射光量そのものを示す信号である。フォーカスエラー信号は、例えば非点収差法により検出された信号である。フォーカスエラー信号は、対角上に配置された２組の分割フォトディテクターからの信号をそれぞれの組で加算し、さらに、各組で求めた加算信号の差を求めることで得られる。
【００８９】
トラッキングエラー信号およびウォブル信号は、プッシュプル法により検出された信号である。トラッキングエラー信号およびウォブル信号は、タンジェンシャル方向に配置された２組の分割フォトディテクターからの信号をそれぞれの組で加算し、さらに、各組で求めた加算信号の差を求めることで得られる。
【００９０】
トラッキングエラー信号は、プッシュプル信号から、０Ｈｚから数１０ｋＨｚの周波数成分を抽出することによって生成する。ウォブル信号は、プッシュプル信号から数１０ｋＨｚから数ＭＨｚの信号成分を抽出することによって生成する。
【００９１】
サーボ制御部７０２は、フォーカスエラー信号が０になるように、光ヘッド７０１内の対物レンズを上下に駆動することによって、光スポットを記録面に集光させる。さらにサーボ制御部７０２は、トラッキングエラー信号が０になるように対物レンズをラジアル方向に駆動することによって、光スポットをランドまたはグルーブにトラッキングさせる。
【００９２】
ランドまたはグルーブのどちらにトラッキングするかはトラッキングエラーに応じて、外周側に駆動するか外周側に駆動するかによって決定する。この駆動極性はコントローラ７１１からの指示に従って決定している。
【００９３】
信号生成部７０３は、信号生成手段である。そしてウォブル処理部７０４は、信号生成部７０３の生成したウォブル信号を処理する。ウォブル処理部７０４は、ウォブル信号のうち、基本ウォブル３０２の部分の再生信号を逓倍したウォブルクロックの生成、ＡＤＩＰ同期の検出、アドレス情報の再生を行う。
【００９４】
アドレスタイミング生成部７０５は、ウォブル処理部７０４の生成した各種信号から、再生処理のタイミングを生成し再生処理部７０６に出力する。同様に、アドレスタイミング生成部７０５は、ウォブル処理部７０４の生成した各種信号から、記録処理のタイミングを生成し、記録処理部７０９に出力する。このとき、アドレスタイミング生成部７０５は、コントローラ７１１から指示を受けた目標のアドレスを利用する。
【００９５】
ユーザデータの再生に関しては各部が以下の動作を行う。まず、再生処理部７０６は、アドレスタイミング生成部７０５が生成した再生目標アドレスのタイミングに応じて、信号生成部７０３が生成した全加算信号からバイナリデータを抽出する。そして、デコーダ７０７はそのバイナリデータを復調、エラー訂正を行い、再生データとして出力する。
【００９６】
ユーザデータの記録に関しては各部が以下の動作を行う。まず、エンコーダ７０８は記録データを受け取り、エラー訂正符号の付加、バイナリデータへの変調を行う。記録処理部７０９はアドレスタイミング生成部７０５が生成した記録目標アドレスのタイミングに応じて、レーザ駆動部７１０に対して記録パワーの発光指令を行う。
【００９７】
２−１  ウォブル処理部
図８を用いて本実施の形態の光ディスク装置のウォブル処理部７０４に関して詳細に説明を行う。
【００９８】
ウォブル処理部７０４は、ＡＤＩＰ同期検出部８０１と、タイミング生成部８０２と、第１ないし第４の積分器８０３〜８０６と、最大領域検出器８０７と、領域決定部８０８とを備える。さらに、ウォブル処理部７０４は、ウォブルＰＬＬ８０９と、乗算器８１０と、絶対値検出器８１１と、積分器８１２と、コンパレータ８１３と、アドレス情報決定部８１４とを備える。
【００９９】
ウォブル処理部７０４に、信号生成部７０３からウォブル信号が入力される。ウォブルＰＬＬ８０９は基本ウォブル３０２からの再生信号を逓倍してウォブルクロックを生成する。同時に、ウォブルＰＬＬ８０９は、ウォブル信号から、基本ウォブル３０２と同じ周波数で位相が＋９０度シフトした９０度位相波形を生成する。つまりウォブルＰＬＬ８０９は、位相差波形生成手段の一例である。
【０１００】
ここで、本実施の形態においては、９０度位相波形は正弦波状とするが、他の波形でもよい。例えば、矩形波、三角波等でもよく、これらの波形でもほぼ同一の機能を実現することができる。回路の簡素化のためにそれらの波形を選択しても構わない。乗算器８１０は、ウォブルＰＬＬ８０９が生成した９０度位相波形と、ウォブル信号とを乗算し、乗算により生成された信号を出力する。絶対値検出器８１１は乗算器８１０の出力の絶対値を出力する。絶対値検出器８１１は、基本パターンのウォブル信号に対しては０を出力し、アドレス情報“０”またはアドレス情報“１”のパターンのウォブル信号に対しては、０でない値を出力する。
【０１０１】
一方、ＡＤＩＰ同期検出部８０１は、ウォブル信号から光ディスク１０１における同期領域１０５の信号を探索することで、ＡＤＩＰに同期したＡＤＩＰ同期信号を生成する。
【０１０２】
タイミング生成部８０２は、ＡＤＩＰ同期検出部８０１が生成したＡＤＩＰ同期信号に基づいて、ウォブルＰＬＬ８０９が生成したウォブルクロックを一定数カウントすることで、領域Ａから領域Ｄを示すタイミング信号を生成する。このタイミング信号は、ＡＤＩＰ１０４における全てのアドレス情報ウォブル３１０に対して出力される。
【０１０３】
第１の積分器８０３から第４の積分器８０６は、ＡＤＩＰ１０４の境界においてリセットされ、タイミング生成部８０２の生成した領域Ａから領域Ｄのタイミングに同期して、絶対値検出器８１１の出力信号を積分し出力する。これにより、第１なしし第４の積分器８０３〜８０６は領域Ａ〜Ｄそれぞれからの信号を積分し出力する。
【０１０４】
最大領域検出器８０７はアドレス情報探索手段の一例である。最大領域検出器８０７は、第１の積分器８０３から第４の積分器８０６の出力のうち、どの積分器の出力が最大となっているかを検出し、検出結果を出力する。この最大領域の検出処理は、ＡＤＩＰ全体に対して積分処理した結果に対して行われるため、アドレス情報が記録されている領域の探索を高い信頼性で行うことができる。
【０１０５】
領域決定部８０８は領域決定手段の一例である。領域決定部８０８は、連続するＡＤＩＰ１０４の境界において、最大領域検出器８０７の出力に基づいて、アドレス情報が配置されている領域として領域Ａ〜Ｄのいずれか１つを決定する。このとき、領域決定部８０８は、ＡＤＩＰ境界タイミングにおいて先行するＡＤＩＰ１０４における最大領域検出器８０７の出力に基づいて、後続するＡＤＩＰの領域Ｂを決定する。具体的には、領域決定部８０８は、ＡＤＩＰ境界タイミングにおいて先行するＡＤＩＰ１０４における最大領域検出器８０７の出力が領域Ａの場合には、後続するＡＤＩＰが領域Ｂであることが類推されるため領域Ｂを選択する。同様に先行するＡＤＩＰに対して領域Ｂが決定された場合、後続するＡＤＩＰに対しては領域Ｃを選択する。同様に先行するＡＤＩＰに対して領域Ｃが決定された場合、後続するＡＤＩＰに対しては領域Ｄを選択する。同様に先行するＡＤＩＰに対して領域Ｄが決定された場合、後続するＡＤＩＰに対しては領域Ａを選択する。
【０１０６】
セレクタ８１５は、領域決定部８０８が選択した領域のタイミング信号を選択し出力する。積分器８１２はセレクタ８１５の選択したタイミング信号に対して、乗算器８１０の出力信号を積分出力する。この乗算器８１０および積分器８１２の構成による動作は位相検波の手段として一般的なものである。つまり、乗算器８１０および積分器８１２の構成は位相検波手段の一例である。
【０１０７】
コンパレータ８１３は、アドレス情報ウォブル３１０の終端において積分器８１２の出力を２値化する。アドレス情報決定部８１４はアドレス情報検出手段の一例である。アドレス情報決定部８１４は、ＡＤＩＰ１０４の全てアドレス情報ウォブル３１０に対するコンパレータ８１３の出力結果に基づいて、アドレス情報を決定し、アドレス情報として出力する。
【０１０８】
図９は、本実施の形態の光ディスク装置におけるアドレス情報再生の動作のフローチャートである。図９のフローチャートを参照しながら、本実施の形態の光ディスク装置におけるアドレス情報再生の動作を説明する。アドレス情報の再生が開始されると、ＡＤＩＰ同期検出部８０１によって、ＡＤＩＰ１０４における位置決めのためのＡＤＩＰ同期が行われる（Ｓ１）。
【０１０９】
ＡＤＩＰ同期が確定すると、領域Ａから領域Ｂのタイミングを生成することができるようになる。そして、タイミング生成部８０２と、第１ないし第４の積分器８０３〜８０６と、最大領域検出器８０７とによって、アドレス記録領域の探索が行われる（Ｓ２）。この処理（Ｓ２）がＡＤＩＰ境界に至るまで実施される（Ｓ３）。ＡＤＩＰ境界に至ると、最大領域検出器８０７によって先行ＡＤＩＰの領域が決定する（Ｓ４）。
【０１１０】
次に領域決定部８０８によって後続ＡＤＩＰの領域が決定する（Ｓ５）。それからセレクタ８１５によって決定した領域のタイミングが選択されることで、積分器８１２と、コンパレータ８１３と、アドレス情報決定部８１４とによって決定した領域（Ａ〜Ｄのいずれか）においてアドレス検出が行われる。
【０１１１】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。
【０１１２】
例えば、上記の例では、図４（ｂ）に示すパターンをアドレス情報“０”のパターンとし、図４（ｃ）に示すパターンをアドレス情報“１”のパターンとしたが、その逆でもよい。すなわち、図４（ｂ）に示すパターンをアドレス情報“１”のパターンとし、図４（ｃ）に示すパターンをアドレス情報“０”のパターンとしてもよい。
【０１１３】
また、図４（ｂ）、（ｃ）に示すアドレス情報パターン４０２、４０３における情報ウォブル４０２ａ、４０３ａ（±ｓｉｎ（ωｔ））の波形の数は、１つとしたが、信頼性の観点から複数（例えば６個）設けても良い。例えば、アドレス情報“０”のパターンを、１周期分の＋ｃｏｓ（１．２５ωｔ）の波形と、６周期分の−ｓｉｎ（ωｔ）の波形と、１周期分の−ｃｏｓ（０．７５ωｔ）の波形とで構成してもよい。同様に、アドレス情報“１”のパターンを、１周期分の＋ｃｏｓ（０．７５ωｔ）の波形と、６周期分の−ｓｉｎ（ωｔ）の波形と、１周期分の−ｃｏｓ（１．２５ωｔ）の波形とで構成してもよい。
【０１１４】
また、上記実施の形態で示した光ディスク装置の各部は、専用の電子回路（ハードウェア）で実現されてもよい。または、ＣＰＵやＭＰＵ等が所定のソフトウェアを実行することにより、それらの機能を実現してもよい。
【０１１５】
以上のように、本実施の形態における光ディスク装置は、アドレス情報が形成されている領域を探索するアドレス情報探索手段と、アドレス情報探索手段の結果に基づいてアドレス情報が形成されている領域を決定する領域決定手段と、領域決定手段が決定した領域に対してアドレスの検出を行うアドレス情報検出手段、を有する。
【０１１６】
そして、本実施の形態における光ディスク装置は、トラックのウォブルに応じた信号を生成する信号生成手段と、信号生成手段の生成した信号から基本ウォブルに対して９０度の位相差を有する信号を生成する９０度位相波形生成手段と、９０度位相波形生成手段の生成した信号を用いて位相検波を行う位相検波手段と、位相検波手段の検波結果に基づいてアドレスの検出を行うアドレス情報検出手段、を有する。
【０１１７】
以上のように、本開示における技術の例示として、実施の形態を説明した。そのために、添付図面および詳細な説明を提供した。
【０１１８】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１１９】
また、上述の実施の形態は、本開示における技術を例示するためのものであるから、特許請求の範囲またはその均等の範囲において種々の変更、置き換え、付加、省略などを行うことができる。
【産業上の利用可能性】
【０１２０】
本開示は、トラック溝に対して物理アドレスを表記する媒体ならびにその記録再生装置に適用可能である。具体的には、光ディスク媒体、光テープ、およびその記録再生装置などに適用可能である。
【図１】
0006015986.tif 000005
【図２】
0006015986.tif 000006
【図３】
0006015986.tif 000007
【図４】
0006015986.tif 000008
【図５】
0006015986.tif 000009
【図６】
0006015986.tif 000010
【図７】
0006015986.tif 000011
【図８】
0006015986.tif 000012
【図９】
0006015986.tif 000013